(57)【特許請求の範囲】
【請求項１】
走行機体と、該走行機体に連結される機枠と、該機枠に設けられ、旧畦上に土を盛り上げる盛土機構と、該盛土機構の進行方向後方位置に設けられ、外周面部分に圧締面部を間隔を置いて複数個形成され、回転方向前方位置の圧締面部から隣る後方位置の圧締面部の圧締面に至る可撓性板材からなる圧締板体が配設され、畦面を回転整畦可能な回転整畦体をもつ回転整畦機構とを備えてなり、上記圧締板体の表面に回転方向に対して交差する方向に延びる凸条部を設け、該凸条部は上記圧締板体の表面に折曲により形成されてなることを特徴とする整畦機。
【請求項２】
上記圧締面部と隣る圧締面部との間に通穴が形成されていることを特徴とする請求項１記載の整畦機。
【請求項３】
上記圧締板体はボルト等の取付体により配設されていることを特徴とする請求項１又は２記載の整畦機。
【発明の詳細な説明】
【０００１】
【発明の属する技術分野】
本発明は例えば畦の造成作業や修復作業等に用いられる整畦機に関するものである。
【０００２】
【従来の技術】
従来、この種の整畦機として、例えば、特許第２５６４２３０号公報に示す如く、走行機体に連結機構により機枠を上下動自在に連結し、機枠に旧畦上に土を盛り上げる盛土機構を設け、盛土機構により盛り上げられる土の外方飛散を防ぐ土飛散防止体を設け、盛土機構の進行方向後方位置に畦面を回転整畦可能な回転整畦体からなる回転整畦機構を設けた構造が知られている。
【０００３】
【発明が解決しようとする課題】
しかしながら上記従来構造の場合、旧畦、ほ場等の土質条件、天候等の作業条件等によっては良好な整畦作業を行うことができないことがあるという不都合を有している。
【０００４】
【課題を解決するための手段】
本発明はこのような不都合を解決することを目的とするもので、本発明のうちで、請求項１記載の発明は、走行機体と、該走行機体に連結される機枠と、該機枠に設けられ、旧畦上に土を盛り上げる盛土機構と、該盛土機構の進行方向後方位置に設けられ、外周面部分に圧締面部を間隔を置いて複数個形成され、回転方向前方位置の圧締面部から隣る後方位置の圧締面部の圧締面に至る可撓性板材からなる圧締板体が配設され、畦面を回転整畦可能な回転整畦体をもつ回転整畦機構とを備えてなり、上記圧締板体の表面に回転方向に対して交差する方向に延びる凸条部を設け、該凸条部は上記圧締板体の表面に折曲により形成されてなることを特徴とする整畦機にある。
【０００５】
又、請求項２記載の発明は、上記圧締面部と隣る圧締面部との間に通穴が形成されていることを特徴とするものであり、又、請求項３記載の発明にあっては、上記圧締板体はボルト等の取付体により配設されていることを特徴とするものである。
【０００６】
【発明の実施の形態】
図１乃至図６は本発明の実施の形態例を示し、１は走行機体であって、この場合トラクタが用いられ、走行機体１の後部に三点リンク式の連結機構２により機枠３を上下動可能に連結して構成している。
【０００７】
４は回転整畦機構であって、この場合、上記機枠３に支持ブラケット５を突設し、支持ブラケット５に軸受筒部６を設け、軸受筒部６の後部に軸受部７を設け、軸受部７に駆動軸８を軸受し、一方、機枠３に走行機体１に設けられた動力取出軸９により自在継手１０を介して回転する主軸１１を軸受すると共に主軸１１により伝導機構１２を介して回転する伝達軸１３を横設し、上記駆動軸８の一方端部と伝達軸１３との間に自在継手１４を架設し、駆動軸８の他方端部に畦Ｗ面を回転整畦可能な回転整畦体１５を配設して構成している。
【０００８】
この場合、上記回転整畦体１５は、畦Ｗの上面Ｗ1を整畦可能な上面整畦部１５ａ及び畦Ｗの一方側面Ｗ2を整畦可能な側面整畦部１５ｂからなり、この上面整畦部１５ａ及び側面整畦部１５ｂは、互いに結合されて鼓状をなすローター枠体１６ａの外周面部に間隔置いて圧締面部Ｋ・Ｄを形成すると共に隣り合う圧締面部Ｋ・Ｄの間を通穴Ｆ・Ｃとして形成し、上面整畦部１５ａ及び側面整畦部１５ｂの回転方向前方位置の圧締面部Ｋ・Ｄ側から隣り合う後方位置の圧締面部Ｋ・Ｄの外面に至る長さの圧締板体Ｇ・Ｅをボルト等の取付体Ｑにより配設し、この圧締板体Ｇ・Ｅは可撓性を有するナイロン樹脂や塩化ビニール樹脂等の合成樹脂やステンレスやバネ鋼等の等の金属からなる外的負荷により弾性的に撓み得る材質の可撓性板材により形成され、かつ、圧締板体Ｇ・Ｅの表面に回転方向に対して交差する方向に延びる凸条部Ｇ1・Ｅ1を圧締板体Ｇ・Ｅの折曲により形成し、ローター枠体１６ａの中心軸筒１６ｂを駆動軸８に挿通固定し、しかして、主軸１１の回転により回転整畦体１５を図６中矢印方向に回転させ、回転整畦体１５の上面整畦部１５ａ及び側面整畦部１５ｂの外周面の圧締板体Ｇ・Ｅの回転接触により畦Ｗの上面Ｗ1及び一方側面Ｗ2を締圧整畦するように構成している。
【０００９】
１７は盛土機構であって、この場合、上記軸受筒部６に中間軸１８を軸受し、中間軸１８の一方端部と駆動軸８との間に歯車機構８ａを設け、中間軸１８の他方端部に盛土ローター１９を設け、機枠３に盛土ローター１９の上方を覆うカバー体２０を配設し、中間軸１８の回転により盛土ローター１９を図中矢印方向に回転させるように構成している。
【００１０】
２１は土飛散防止体であって、この場合、上記畦Ｗの上面Ｗ1上を車軸２４を中心として転動可能な転動盤体２２により形成され、この転動盤体２２は上下動機構２３としての平行リンク機構により上記畦Ｗの上面Ｗ1の起伏に倣って上下動自在に設けられ、盛土機構１７により盛り上げられる土の外方飛散を防ぐように構成されている。
【００１１】
２５は削土機構であって、上記盛土機構１７の進行方向前方位置に設けられ、
この場合、上記軸受筒部６の前端部にチェーンケース２６を突設し、チェーンケース２６の先端部に支持軸２７を回転自在に設け、支持軸２７に削土ローター２８を取付け、上記中間軸１８と支持軸２７との間にチェーン機構２９及び歯車機構３０を介装し、チェーンケース３２を引上機構３１により弾性支持し、削土ローター２８の回転により盛土ローター１９の前方位置の旧畦Ｗを予め削土するように構成している。
【００１２】
この実施の形態例は上記構成であるから、走行機体１を旧畦に沿って走行し、動力取出軸９を回転すると、一方では盛土機構１７の盛土ローター１９が畦際のほ場Ｍ土や旧畦Ｗの泥土を旧畦上に連続的に跳ね上げて盛り上げ、他方では走行機体１の動力取出軸９を駆動源として回転整畦機構４が駆動され、回転整畦体１５は畦面に回転接触して畦Ｗ面を回転整畦により締め付けることができ、走行機体１の走行速度に対して回転整畦体１５の回転速度を高めることにより回転整畦体１５は畦Ｗ面に回転滑り接触し、この回転すべり接触により畦Ｗ面を円滑かつ強固に締圧整畦することができ、この回転整畦体１５に圧締面部Ｋ・Ｄを通穴Ｆ・Ｃを存して間隔を置いて複数個形成すると共に側面整畦部１５ｂ及び上面整畦部１５ａに回転方向前方位置の圧締面部Ｋ・Ｄ側から隣り合う後方位置の圧締面部Ｋ・Ｄに至る長さの圧締板体Ｇ・Ｅを配設して構成しているから、回転整畦体１５の図中矢印方向としての走行機体１の前進を助長する方向の回転に伴い圧締板体Ｇ・Ｅは徐々に盛土を締圧すると共に圧締面部Ｋ・Ｄにより圧締板体Ｇ・Ｅを介して強く締圧され、この複数個の圧締面部Ｋ・Ｄの存在により断続的に締圧され、複数個の圧締面部Ｋ・Ｄの存在により、回転整畦体１５の全外周面で締圧する構造に比べて締圧面積が小さくなることにより締圧力を大きくすることができ、それだけ強固に畦を締め付けることができ、この際、上記圧締板体Ｇ・Ｅの表面に回転方向に対して交差する方向に延びる凸条部Ｇ1・Ｅ1を設けてなるから、この凸条部Ｇ1・Ｅ1の存在により圧締板体Ｇ・Ｅによる締圧力が部分的に増加することになり、それだけ良好な整畦を行うことができる。
【００１３】
かつ、この場合、上記隣り合う圧締面部Ｋ・Ｋ、Ｄ・Ｄの間に通穴Ｆ・Ｃを形成しているので、通穴Ｆ・Ｃにより一層断続的に畦面を締圧することになり、それだけ強固に締圧することができ、又、この場合、上記凸条部Ｇ1・Ｅ1は上記圧締板体Ｇ・Ｅに折曲により形成されているので、容易に製作することができ、又、この場合、上記圧締板体Ｇ・Ｅは可撓性を有する金属や合成樹脂等の可撓性板材により形成されているので、圧締板体Ｇ・Ｅは撓み動作しつつ盛土を徐々に締圧することができ、回転整畦体１５への土の付着現象を抑制することができ、良好な整畦作業を行うことができる。
【００１４】
又、この際、上記盛土機構１７の進行方向前方位置に旧畦Ｗを削土可能な削土機構２５を備えてなるから、削土機構２５により旧畦面を予め削土でき、この削土された畦面上に盛土機構１７の盛土ローター１９により盛土することになるから、旧畦土と盛土との結着性を高めることができ、それだけ強固な畦を得ることができる。
【００１５】
尚、本発明は上記実施の形態例に限られるものではなく、機枠３、回転整畦機構４、回転整畦体１５、盛土機構１７、圧締面部Ｋ、Ｄ、圧締板体Ｇ・Ｅ、凸条部Ｇ1・Ｅ1等の構造や形状等は適宜変更して設計されるものである。
【００１６】
【発明の効果】
本発明は上述の如く、請求項１記載の発明にあっては、走行機体を旧畦に沿って走行すると、一方では盛土機構が畦際や旧畦の泥土を旧畦上に盛り上げ、他方では回転整畦機構が駆動され、回転整畦体は畦面に回転接触して畦面を回転整畦により締め付けることになり、この回転整畦体に圧締面部を間隔を置いて複数個形成すると共に回転方向前方位置の圧締面部側から隣り合う後方位置の圧締面部に至る長さの圧締板体を配設して構成しているから、回転整畦体の回転に伴い圧締板体は徐々に盛土を締圧すると共に圧締面部により圧締板体を介して強く締圧され、この複数個の圧締面部の存在により断続的に締圧され、複数個の圧締面部の存在により、回転整畦体の全外周面で締圧する構造に比べて締圧面積が小さくなることにより締圧力を大きくすることができ、それだけ強固に畦を締め付けることができ、この際、上記圧締板体の表面に回転方向に対して交差する方向に延びる凸条部を設けてなるから、この凸条部の存在により圧締板体による締圧力が部分的に増加することになり、それだけ良好な整畦を行うことができ、かつ、上記凸条部は上記圧締板体に折曲により形成されているので、容易に製作することができ、さらに、上記圧締板体は可撓性を有する金属や合成樹脂等の可撓性板材により形成されているので、圧締板体は撓み動作しつつ盛土を徐々に締圧することができ、回転整畦体への土の付着現象を抑制することができ、良好な整畦作業を行うことができる。
【００１７】
又、請求項２記載の発明にあっては、上記圧締面部と隣る圧締面部との間に通穴が形成されているから、回転整畦体の全外周面で締圧する構造に比べて締圧面積が小さくなることにより締圧力を大きくすることができ、それだけ強固に畦を締め付けることができ、又、請求項３記載の発明にあっては、上記圧締板体はボルト等の取付体により配設されているから、複数個の圧締板体の配設を行うことができる。
【００１８】
以上の如く、所期の目的を充分達成することができる。
【図面の簡単な説明】
【図１】  本発明の実施の形態例の全体側面図である。
【図２】  本発明の実施の形態例の拡大側面図である。
【図３】  本発明の実施の形態例の拡大平面図である。
【図４】  本発明の実施の形態例の全体後面図である。
【図５】  本発明の実施の形態例の前面図である。
【図６】  本発明の実施の形態例の部分拡大断面図である。
【符号の説明】
Ｗ  畦
Ｗ1  上面
Ｗ2  側面
Ｋ  圧締面部
Ｄ  圧締板体
Ｇ1  凸状部
Ｅ1  凸条部
１  走行機体
２  連結機構
３  機枠
４  回転整畦機構
１５  回転整畦体
１７  盛土機構
【図１】
0003997473.tif 000002
【図２】
0003997473.tif 000003
【図３】
0003997473.tif 000004
【図４】
0003997473.tif 000005
【図５】
0003997473.tif 000006
【図６】
0003997473.tif 000007